(57)【要約】【課題】  検査予約時刻が近づいたら或いは検査予約時間になったら予約している入院患者に対して天井スピーカ等を利用して知らせるナースコールシステムを提供する。【解決手段】  検査予約した患者氏名及び予約日時を記憶するオーダリング装置１５と、検査予約した患者対してアナウンスするメッセージをオーダリング装置１５の情報を基に生成するメッセージ生成部１４２と、検査予約対象の患者の検査予約時刻の一定時間前になったら検査予約対象の患者に関連付けられているナースコール子機１のスピーカ及び病院の共用部に設置されている天井スピーカ８のうちの何れかのスピーカからメッセージ生成部１４２で生成されたメッセージを報音させて、検査時間が来たことを通知する検査予約表示端末１４を有する。【選択図】  図１
2018068488.tif 000002
【特許請求の範囲】
【請求項１】
入院患者が看護師を呼び出すためにベッド毎に設置されたナースコール子機と、ナースコール子機からの呼び出しに看護師が応答するためにナースステーションに設置されたナースコール親機と、病室毎に設置されて対応する病室の患者情報を表示すると共に、患者からの呼出発生を表示する廊下灯とを有するナースコールシステムにおいて、
検査予約した患者氏名及び予約日時を記憶する検査予約記憶部と、
検査予約した患者に対してアナウンスするメッセージを前記検査予約記憶部の情報を基に生成するメッセージ生成部と、
患者の検査予約時刻、その一定時間前、一定時間後のうちの少なくとも１つのタイミングで、検査予約対象の患者に関連付けられているナースコール子機のスピーカ及び病院の共用部に設置されている天井スピーカのうち、少なくとも何れかのスピーカから前記メッセージ生成部で生成されたメッセージを報音させて、検査時間が来たことを通知する通知制御装置と、を有することを特徴とするナースコールシステム。
【請求項２】
病院内の共用部、廊下、病室を含む適宜部位に設置されて、設置場所の位置情報を発信する位置情報発信機と、
患者が身につけて、受信した前記位置情報発信機の位置情報を基に、自身の位置情報を生成して送信する位置送信端末と、
病院内の適宜位置に設置されて前記位置送信端末の送信信号を受信する受信機と、
患者と前記位置情報発信機との関係を記憶して、前記受信機が受信した前記位置送信端末の信号から患者の居場所を把握して蓄積する位置情報管理装置と、
個々の前記天井スピーカの設置場所情報を記憶するスピーカ位置記憶部とを有する一方、
前記通知制御装置は、前記検査予約した患者の居場所情報を前記位置情報管理装置から取得する患者場所情報取得部を有して、取得した患者の場所情報から当該患者が病室に居る場合はナースコール子機のスピーカから、病室に居ない場合は前記スピーカ位置記憶部の情報を基に選択した天井スピーカから、メッセージを報音させることを特徴とする請求項１記載のナースコールシステム。
【請求項３】
患者からの呼び出しに看護師が応答するための携帯端末を有すると共に、病院内の適宜位置に前記携帯端末と通信する基地局が設置されており、
前記位置情報発信機は自身の位置信号をＩＭＥＳ信号で発信し、
前記ＩＭＥＳ信号を受けて前記位置送信端末が送信する自身の位置情報信号が、ＩＭＥＳに基づくＧＰＳ測位信号であって、前記携帯端末の通信電波と共通する信号で送信し、
前記受信機が前記基地局であることを特徴とする請求項２記載のナースコールシステム。
【請求項４】
前記通知制御装置が、処置室或いは検査室に設置されて検査予約状況を前記検査予約記憶部から入手して表示する検査予約表示端末であり、
前記検査予約表示端末は、前記メッセージの報音を禁止する報音停止ボタンを有することを特徴とする請求項１乃至３の何れかに記載のナースコールシステム。
【発明の詳細な説明】
【技術分野】
【０００１】
本発明は、検査予約した入院患者に対して検査時刻が近づいていることを天井スピーカ或いはナースコール子機にスピーカにより通知する機能を備えたナースコールシステムに関する。
【背景技術】
【０００２】
患者を検査する為に病棟に設けられた検査室等を予約するシステムとして、例えば特許文献１に開示された検査予約管理システムがある。特許文献１では、予約されていない時間を確認して検査室や検査装置を予約し、その後変更やキャンセルが発生したら、その都度登録内容を変更することで検査室や検査装置の効率的な運用を可能とした。
【０００３】
一方で、ＧＰＳ測位技術をＧＰＳ衛星電波の届かない屋内に対しても適用可能とした技術としてＩＭＥＳ（Indoor MEssaging System）の技術がある。この技術を用いることで、屋内においてもＧＰＳ測位機能を具備した端末を管理対象の人物が身につけることで、屋内においても人物の位置が把握可能となった（例えば、特許文献２参照）。
【先行技術文献】
【特許文献】
【０００４】
【特許文献１】特開２０１２−９３８４３号公報
【特許文献２】特開２０１１−１４５８７３号公報
【発明の概要】
【発明が解決しようとする課題】
【０００５】
入院患者は定期的に検査室等で経過を検査するが、検査予約した時間を忘れたり或いは急な見舞客等で病室から出てしまうことがあり、予約時刻に検査室に現れない場合があった。このような場合は看護師が患者を捜したりするが、見つかったとしても予定時間を過ぎてしまいその後のスケジュールに変更が発生したり、見つからない場合は予約をキャンセルしていた。そのため、患者を捜したり時間変更したりする作業が看護師の負担となっていた。
【０００６】
そこで、本発明はこのような問題点に鑑み、検査予約時刻が近づいたら或いは検査予約時間になったら予約している入院患者に対して天井スピーカ等を利用して知らせるナースコールシステムを提供することを目的としている。
【課題を解決するための手段】
【０００７】
上記課題を解決する為に、請求項１の発明は、入院患者が看護師を呼び出すためにベッド毎に設置されたナースコール子機と、ナースコール子機からの呼び出しに看護師が応答するためにナースステーションに設置されたナースコール親機と、病室毎に設置されて対応する病室の患者情報を表示すると共に、患者からの呼出発生を表示する廊下灯とを有するナースコールシステムにおいて、検査予約した患者氏名及び予約日時を記憶する検査予約記憶部と、検査予約した患者に対してアナウンスするメッセージを検査予約記憶部の情報を基に生成するメッセージ生成部と、患者の検査予約時刻、その一定時間前、一定時間後のうちの少なくとも１つのタイミングで、検査予約対象の患者に関連付けられているナースコール子機のスピーカ及び病院の共用部に設置されている天井スピーカのうち、少なくとも何れかのスピーカからメッセージ生成部で生成されたメッセージを報音させて、検査時間が来たことを通知する通知制御装置と、を有することを特徴とする。
この構成によれば、検査予約した時刻になった時、或いはその前後の何れかのタイミングで、予約した患者のナースコール子機のスピーカ及び天井スピーカのうち、少なくとも何れかのスピーカから所定のメッセージが報音される。よって、該当する患者は予約を忘れていても報音されたメッセージによりそれを認識でき、看護師が患者を捜し回ること無く検査が可能となる。よって、看護師は患者を捜す煩わしさが無くなる。
【０００８】
請求項２の発明は、請求項１に記載の構成において、病院内の共用部、廊下、病室を含む適宜部位に設置されて、設置場所の位置情報を発信する位置情報発信機と、患者が身につけて、受信した位置情報発信機の位置情報を基に、自身の位置情報を生成して送信する位置送信端末と、病院内の適宜位置に設置されて位置送信端末の送信信号を受信する受信機と、患者と位置情報発信機との関係を記憶して、受信機が受信した位置送信端末の信号から患者の居場所を把握して蓄積する位置情報管理装置と、個々の天井スピーカの設置場所情報を記憶するスピーカ位置記憶部とを有する一方、通知制御装置は、検査予約した患者の居場所情報を位置情報管理装置から取得する患者場所情報取得部を有して、取得した患者の場所情報から当該患者が病室に居る場合はナースコール子機のスピーカから、病室に居ない場合はスピーカ位置記憶部の情報を基に選択した天井スピーカから、メッセージを報音させることを特徴とする。
この構成によれば、患者の居場所に近いスピーカが選択されて、そのスピーカからメッセージが報音されるので、呼び出しが頻繁にあっても騒音に成り難い。
【０００９】
請求項３の発明は、請求項２に記載の構成において、患者からの呼び出しに看護師が応答するための携帯端末を有すると共に、病院内の適宜位置に携帯端末と通信する基地局が設置されており、位置情報発信機は自身の位置信号をＩＭＥＳ信号で発信し、ＩＭＥＳ信号を受けて位置送信端末が送信する自身の位置情報信号が、ＩＭＥＳに基づくＧＰＳ測位信号であって、携帯端末の通信電波と共通する信号で送信し、受信機が基地局であることを特徴とする。
この構成によれば、病院内に構築した携帯端末の通信網を使用して位置送信端末の位置、即ち患者の居場所を特定できるので、位置送信端末との通信網を別途設ける必要がない。
【００１０】
請求項４の発明は、請求項１乃至３の何れかに記載の構成において、通知制御装置が、処置室或いは検査室に設置されて検査予約状況を検査予約記憶部から入手して表示する検査予約表示端末であり、検査予約表示端末は、メッセージの報音を禁止する報音停止ボタンを有することを特徴とする。
この構成によれば、メッセージを報音する時刻までに患者が処置室或いは検査室に現れたら、メッセージを報音する必要が無くなるため、報音停止ボタンを操作すれば良く、無駄な報音を防止できる。
【発明の効果】
【００１１】
本発明によれば、検査予約した時刻になった時、或いはその前後の何れかのタイミングで、予約した患者のナースコール子機のスピーカ及び天井スピーカのうち、少なくとも何れかのスピーカから所定のメッセージが報音される。よって、該当する患者は予約を忘れていても報音されたメッセージによりそれを認識でき、看護師が患者を捜し回ること無く検査が可能となる。よって、看護師は患者を捜す煩わしさが無くなる。
【図面の簡単な説明】
【００１２】
【図１】本発明に係るナースコールシステムの一例を示す構成図である。
【図２】ＩＭＥＳ送信機の配置を示す病棟レイアウト説明図である。
【図３】ＩＭＥＳ管理装置の機能ブロック図である。
【図４】制御装置の機能ブロック図である。
【図５】検査予約表示端末の機能ブロック図である。
【図６】検査予約表示端末が検査予約している患者を表示した説明図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出すためのナースコール子機、２は病室毎に設置されて患者情報を表示すると共に呼出発生を報知し、更に呼出信号を中継する廊下灯、３はナースステーションに設置されてナースコール子機１による呼び出しを報知すると共に、呼び出しに看護師が応答するためのナースコール親機、４はナースコール子機１からの呼び出しに応答するために個々の看護師が携行する例えばスマートフォンから成る携帯端末、５は機器間の通信を制御する制御装置、６は携帯端末４及び後述する位置送信端末１０と通信するアクセスポイント等の基地局、７は携帯端末４と基地局６の間の通信の制御に加えて、後述する位置送信端末１０と基地局６との間の通信を管理するＩＰ−ＰＢＸからなる交換機、８は廊下やトイレ等の共用部の適宜位置に設置された天井スピーカ、１３はナースコールシステムを管理する管理ＰＣ、１４は検査室や処置室に設置されて患者の検査予約状態を確認するための検査予約表示端末、１５は患者の投薬情報や入退院情報等の患者医療情報、更には検査室や処置室の予約等を管理するオーダリング装置である。
【００１４】
また、９はＩＭＥＳ技術を適用して自身の位置信号であるＩＭＥＳ信号を発信する位置情報発信機としてのＩＭＥＳ送信機、１０は患者が身に付けてＩＭＥＳ送信機９からＩＭＥＳ信号を受信して自身の位置情報を発信する位置送信端末、１１は個々のＩＭＥＳ送信機９の発信信号を管理すると共に、位置送信端末１０の位置を管理する位置情報管理装置としてのＩＭＥＳ管理装置であり、ＩＭＥＳ送信機９と位置送信端末１０とＩＭＥＳ管理装置１１と基地局６とで患者の居場所を特定する位置特定システムを構成している。位置送信端末１０は、基地局６が受信可能な信号、即ち携帯端末４と共通する通信電波により自身の位置情報（ＧＰＳ測位信号）を発信するよう構成されている。
【００１５】
そして、図２はＩＭＥＳ送信機９の配置例を示す病棟レイアウト図であり、この図２に示すようにＩＭＥＳ送信機９は、個々の病室Ｅ１、ナースステーションであるスタッフステーションＥ２、廊下Ｅ３の適宜場所、浴室Ｅ４、トイレＥ５、手術室Ｅ６、検査室Ｅ７、共用部、待合室等に設置され、位置送信端末１０が自身の詳細な位置情報を送信できるよう配置されている。尚、図２は病棟内の配置を示しているが、ＩＭＥＳ送信機９は他の病棟を含む病院全体に配置されている。
【００１６】
廊下灯２、ナースコール親機３、制御装置５、管理ＰＣ１３、検査予約表示端末１４は、ＨＵＢ１２を介してＬＡＮ配線Ｌ１により互いに接続されている。また、ナースコール子機１は病室毎に伝送線Ｌ２を介して廊下灯２に接続されている。一方、ＩＭＥＳ送信機９とＩＭＥＳ管理装置１１とは通信線Ｌ４で接続され、管理ＰＣ１３とＩＭＥＳ管理装置１１とは通信線Ｌ５で接続され協働するよう構成されている。
また天井スピーカ８は、廊下灯２を介して制御装置５に接続されており、廊下灯２内にスピーカ制御部（図示せず）が設けられ、ＬＡＮ配線を廊下灯２と共用している。
尚、通信線Ｌ４はナースコール親機３が接続されているＬＡＮ配線Ｌ１とは独立して配設しているが、通信線Ｌ４もＬＡＮを使用してＬＡＮ配線Ｌ１と一体化することも可能である。
【００１７】
以下、主要機器を順に説明する。ナースコール子機１は、ベッド上に配置される呼出握りボタン１ａと、壁面に設置されて呼出握りボタン１ａが接続されるプレート子機１ｂとから成り、プレート子機１ｂには通話の為のマイク、スピーカ１ｃが組み込まれている。
また、ナースコール親機３は、患者情報の一覧を始め各種情報を表示する第１表示部３ａ、呼出元情報を表示する第２表示部３ｂ、呼び出しに応答するためのハンドセット３ｃ等を備えている。
【００１８】
位置特定システムを構成するＩＭＥＳ送信機９は、ＩＭＥＳ管理装置１１の制御により、ＩＭＥＳ信号（位置信号）をＧＰＳ衛星から発信される位置情報信号と共通する信号形態で常時発信する。
一方、位置送信端末１０は、ＧＰＳ衛星電波を受信して自身の位置情報を送信する機能を有している。具体的に、ＧＰＳ電波を受信して自身の位置を特定し、特定した位置情報に自身のＩＤを付加して発信するＧＰＳ通信部が内蔵されている。この機能により、屋内においてはＩＭＥＳ送信機９が発している位置情報信号を受信し、この信号を基に自身の位置情報を発信する。尚、位置送信端末１０は、例えば腕時計のように腕に装着可能な形態であったり、首に掛けるペンダント形状であったり、患者が身に付けやすい形状となっている。
【００１９】
またＩＭＥＳ管理装置１１は、図３の機能ブロック図に示すよう構成されている。図３に示すように、位置送信端末１０が発信する位置情報を記憶する位置送信端末位置記憶部１１１、この位置情報と病棟内の場所の関連付けを記憶する場所記憶部１１２、位置送信端末１０と患者との関係を記憶する位置送信端末テーブル記憶部１１３、ＩＭＥＳ管理装置１１を制御するＩＭＥＳ管理装置ＣＰＵ１１４、ＩＭＥＳ送信機９及び管理ＰＣ１３と通信するＩＭＥＳ管理装置ＩＦ１１５等を備えている。
そして、ＩＭＥＳ管理装置ＣＰＵ１１４は、基地局６が受信した位置送信端末１０の場所情報信号を管理ＰＣ１３を介して入手し、各位置送信端末１０の位置を管理するとともに、各ＩＭＥＳ送信機９の発信信号を管理する。
【００２０】
図４は制御装置５の機能ブロック図である。制御装置５は、患者とナースコール子機（ベッド）との関係を含む患者情報を記憶する患者情報記憶部５１、個々の天井スピーカ８の位置を記憶するスピーカ位置記憶部５２、廊下灯２、ナースコール親機３、交換機７、管理ＰＣ１３、検査予約表示端末１４と通信する制御装置通信ＩＦ５３、機器間の通信の制御に加えて制御装置５を制御する制御装置ＣＰＵ５４等を備えている。
【００２１】
図５は検査予約表示端末１４の機能ブロック図を示している。検査予約表示端末１４は、図５に示すように各種情報を表示する液晶画面から成る表示部１４ａ、表示部１４ａ上に設けられたタッチパネルから成る操作部１４１、報音するメッセージを生成するメッセージ生成部１４２、オーダリング装置１５から入院患者の検査予約情報を定期的に入手して記憶する予約情報記憶部１４３、検査予約した患者の居場所情報をＩＭＥＳ管理装置１１から入手すると共に検査予約表示端末１４を制御する検査予約表示端末ＣＰＵ１４４、制御装置５と通信する検査予約表示端末通信ＩＦ１４５等を備えている。
尚、患者の検査予約はオーダリング装置において成され、検査予約情報はオーダリング装置１５の検査予約記憶部１５ａに保存される。
【００２２】
上記の如く構成されたナースコールシステムの動作は以下の様である。但し、患者からの呼び出し、その応答動作は従来と同様であるため説明を省略し、ここではＩＭＥＳ管理装置１１による患者の居場所特定、及び検査予約表示端末１４の動作を中心に説明する。
位置送信端末１０は、ＩＭＥＳ送信機９からＩＭＥＳ信号を受信すると、自身のＩＤを附加した場所情報信号を発信し、最寄りの基地局６がそれを受信する。位置送信端末１０が発信した場所情報信号を受信した基地局６は、交換機７を介して制御装置５に受信した位置送信端末１０の場所情報を送信し、制御装置５は管理ＰＣ１３を介してＩＭＥＳ管理装置１１に転送する。
【００２３】
位置送信端末１０の場所情報を受信したＩＭＥＳ管理装置１１は、ＩＭＥＳ管理装置ＣＰＵ１１４が個々の位置送信端末１０の現在位置を場所記憶部１１２を参照して確定し、位置送信端末位置記憶部１１１に保存する。また、場所情報信号に含まれるＩＤ情報を基に、位置送信端末１０を身に付けている患者を位置送信端末テーブル記憶部１１３から読み取り、位置送信端末位置記憶部１１１に保存する。こうして患者の居場所情報が位置送信端末位置記憶部１１１に保存される。具体的に、位置送信端末１０から受信した位置情報が例えば浴室の場所に一致していたら、その位置送信端末１０は現在浴室にあると判断し、それを身に付けている患者の氏名情報と合わせて記憶される。
【００２４】
検査予約表示端末１４は、検査予約表示端末ＣＰＵ１４４の制御により、オーダリング装置１５の検査予約記憶部１５ａから、定期的に患者の検査予約情報を入手し、予約情報記憶部１４３に保存する。
そして、操作部１４１が操作されて予約患者の場所を表示する所定の表示操作を受けたら、予約情報記憶部１４３に登録されている患者の居場所情報をＩＭＥＳ管理装置１１の位置送信端末位置記憶部１１１から入手し、表示部１４ａに表示させる。
【００２５】
図６は、こうして表示された検査予約している患者（検査予定患者）の当日の一覧を示している。図６では、午前９時５０分の時点での予約患者の居場所情報を示し、１０時に予約しているアべモトヒロさんは現在自身の病室におり、１１時に予約しているハラヒロツグさんは談話室に居ることを示している。
尚、１３時以降に予約している患者は、まだ予約時刻が迫っていないため場所情報を入手していない。また、当日の一覧だけでなく、予約した日時の一覧は所定の操作で表示される（図示せず）。
【００２６】
検査予約表示端末ＣＰＵ１４４は、更に以下の様に動作する。予約時刻の一定時間前になった時点で、患者の居場所情報が自身の病室となっている場合は、アナウンスするメッセージを生成して、もうすぐ予約時刻であることを患者ベッドに関連付けられているナースコール子機１のスピーカ１ｃから報音させる。
具体的に、予約時刻に対して例えば５分前になった時点で、予約している患者が自身の病室に居ることが認識されたら、「アベモトヒロ様、検査時間になりました。準備をお願いします」等のメッセージを生成して報音する。但し、一定時間前にすでに検査室に患者が現れたことで、担当看護師等が検査予約表示端末１４の操作部１４１の中の報音停止ボタン（図示せず）を操作してアナウンス中止操作をすればメッセージが報音されることはない。
【００２７】
尚、予約時刻の一定時間前になった時点で、ＩＭＥＳ管理装置１１の位置送信端末位置記憶部１１１から入手した患者の居場所情報が、例えば談話室等の共用部である場合は、そのエリアに配置されている天井スピーカ８が制御装置５のスピーカ位置記憶部５２から選択され、選択した１或いは複数の天井スピーカ８から上記ナースコール子機１からの報音と同様のメッセージが報音される。
【００２８】
このように、検査予約した時刻が近づいたら、予約した患者のナースコール子機１のスピーカ１ｃ或いは天井スピーカ８の何れかのスピーカから所定のメッセージが報音されるため、該当する患者は予約を忘れていても報音されたメッセージによりそれを認識でき、看護師が患者を捜し回ること無く検査が可能となる。よって、看護師は患者を捜す煩わしさが無くなる。
また、患者の居場所に近いスピーカが選択されて、そのスピーカからメッセージが報音されるので、呼び出しが頻繁にあっても騒音に成り難いし、病院内に構築した携帯端末４の通信網を使用して位置送信端末１０の位置、即ち患者の居場所を特定できるので、位置送信端末１０との通信網を別途設ける必要がない。
更に、メッセージを報音する時刻までに患者が処置室或いは検査室に現れたら、メッセージを報音しない報音停止ボタンを備えるため、無駄な報音を防止できる。
【００２９】
尚、上記実施形態では、５分前等検査予約時刻の一定時間前に通知しているが、予約時刻になった時点で通知しても良いし、予約時刻から一定時間経過してから通知しても良い。当然、患者が検査室等に現れない場合は、３つのタイミングの全てで報音しても良い。
また、ＩＭＥＳ技術を適用して患者の居る場所に近いスピーカを使用してアナウンスする構成を説明したが、ＩＭＥＳ技術を適用せずに常時ナースコール子機１のスピーカ１ｃから報音しても良いし、加えて病棟全体の天井スピーカ８を使用して報音しても良い。
更に、検査予約表示端末１４はオーダリング装置１５から検査予約情報を入手しているが、ナースコール親機３等他の機器で検査予約が管理されている場合は、その機器から入手することになる。
患者が病室
【符号の説明】
【００３０】
１・・ナースコール子機、２・・廊下灯、３・・ナースコール親機、４・・携帯端末、５・・制御装置、６・・基地局（受信機）、７・・交換機、８・・天井スピーカ、９・・ＩＭＥＳ送信機（位置情報発信機）、１０・・位置送信端末、１１・・ＩＭＥＳ管理装置（位置情報管理装置）、１４・・検査予約表示端末（通知制御装置）、１５・・オーダリング装置、１５ａ・・検査予約記憶部、５１・・患者情報記憶部、５４・・制御装置ＣＰＵ、５２・・スピーカ位置記憶部、１４１・・操作部（報音停止ボタン）、１４２・・メッセージ生成部、１４４・・検査予約表示端末ＣＰＵ（患者場所情報取得部）。
【図１】
2018068488.tif 000003
【図２】
2018068488.tif 000004
【図３】
2018068488.tif 000005
【図４】
2018068488.tif 000006
【図５】
2018068488.tif 000007
【図６】
2018068488.tif 000008